(57)【要約】      （修正有）【課題】一つの入力装置により、状況に応じて、相違する情報処理システムに情報を入力することができる切替送信用入力装置を提供する。【解決手段】ユーザ側無線送受信機を有し、ユーザ無線送受信機は、少なくとも一つの機器側無線送受信機と対応する、少なくとも一つの情報処理システム１と情報を交信可能であり、メモリユニット２３と、回路ユニット２２と、マイクロ制御ユニット２１とにより切替送信用入力装置を構成する。さらに、メモリユニット２３は、各情報処理ユニット１の装置識別コードと装置授権コードとを取得して保存し、回路ユニット２２は、ユーザの操作によってユーザの選定した装置選択コードを出力し、マイクロ制御ユニット２１は、回路ユニット２２からの装置選択コードを接収して、装置選択コードに対応する装置識別コードと装置授権コードとをメモリユニット２３から読み取る様に構成する。【選択図】図１
0003155578.tif 000002
【実用新案登録請求の範囲】
【請求項１】
一つ以上の機器側無線送受信機と対となる一つ以上の情報処理システム（１）との情報の交信が可能なユーザ側無線送受信機と、メモリユニット（２３）と、回路ユニット（２２）と、マイクロ制御ユニット（２１）と、を含む切替送信用入力装置において、
前記メモリユニット（２３）は、各情報処理システム（１）の装置識別コードと装置授権コードとを取得して保存するとともに、前記装置識別コードと前記装置授権コードとの各組に対応する装置選択コードをアクセスのインデックスとして保存し、
前記回路ユニット（２２）は、ユーザの操作によってユーザの選定した前記装置選択コードを出力し、
前記マイクロ制御ユニット（２１）は、前記回路ユニット（２２）からの前記装置選択コードに基づいて、前記装置選択コードに対応する前記装置識別コードと前記装置授権コードとを前記メモリユニット（２３）から読み取って、前記装置識別コードと前記装置授権コードとに対応する前記情報処理システム（１）と交信すること
を特徴とする切替送信用入力装置。
【請求項２】
複数の装置切替ボタン（２４）を有し、前記回路ユニット（２２）は、これらの前記装置切替ボタン（２４）の操作に応じて、前記装置切替ボタン（２４）に対応する前記装置選択コードを出力することを特徴とする、請求項１に記載の切替送信用入力装置。
【請求項３】
機能切替ボタン（２５）を有し、前記回路ユニット（２２）は、前記機能切替ボタン（２５）と、何れかの一つのボタンとの操作に応じて、前記ボタンに対応する前記装置選択コードを出力することを特徴とする、請求項１に記載の切替送信用入力装置。
【請求項４】
切替可能な位置が複数ある多段式切替スイッチ（２６）を有し、前記回路ユニット（２２）は、前記多段式切替スイッチ（２６）が切り替えられた前記切替位置に対応する前記装置選択コードを出力することを特徴とする、請求項１に記載の切替送信用入力装置。
【請求項５】
前記ユーザ側無線送受信機と、前記機器側無線送受信機とは、ブルートゥース送信技術を利用する装置であることを特徴とする、請求項１に記載の切替送信用入力装置。
【考案の詳細な説明】
【技術分野】
【０００１】
本考案は、切替送信用入力装置に関し、特に、無線通信規格により複数の情報処理システムと交信することができる切替送信用入力装置に関するものである。
【背景技術】
【０００２】
コンピュータにとって、キーボードが不可欠な入力装置であり、パーソナルコンピュータがどのように高速に進化しても、キーボードの態様は大きく変化しなかった。しかし、携帯性を改良するために、キーボードは、寸法および重量が大幅に減少され、折畳式キーボードと、可撓性を有するキーボードとが次々と開発されている。従来のキーボードは、信号ケーブルを介してコンピュータと通信可能に接続することが必要であり、信号ケーブルの長さは従来のキーボードの移動性を拘束している。この問題を解決するために、無線交信技術を利用する台湾特許第５１０５３７号の「無線キーボード」が提案されている。これは、赤外線や電波（ＲＦ）技術を利用し、信号ケーブルを使用せず、キーボードとコンピュータとの交信を可能にする。しかし、無線通信技術（主に、赤外線技術）を利用する場合には、キーボードとコンピュータとの交信状態は、これらの機器の離間距離と、機器間の成す角度と、機器間の障害物の有無とによって変化し、酷い状況では、誤交信する可能性がある。
【０００３】
信号送信の技術を改良することが必要である他、従来のキーボードでは適用可能範囲が狭すぎる。すなわち、従来のキーボードはコンピュータに適用することだけが考慮されているので、ＵＳＢインタフェースを利用する前に、ＰＳ２インタフェースを利用するキーボードはコンピュータのみに接続することができる。しかし、ユーザは情報をコンピュータ以外の装置に入力する必要がある場合もあり、例えば台湾特許第５３２５２３号の「ＰＤＡ用赤外線交信無線キーボード」が提案されている。これは、キーボードに、ＰＤＡ（Ｐｅｒｓｏｎａｌ  Ｄｉｇｉｔａｌ  Ａｓｓｉｓｔａｎｔ）を受ける枠が設けられ、前記枠には、更に、赤外線送信機が設けられる。前記枠にＰＤＡを置くと、前記赤外線送信機とＰＤＡとの交信状態を確保することができるので、前記キーボードによりＰＤＡに情報を容易に入力することができる。前記キーボードによれば、従来のようにＰＤＡ自体の入力装置を使用して情報を苦労して入力することが必要なくなる。
【０００４】
近年、ブルートゥース技術（Ｂｌｕｅｔｏｏｔｈ：登録商標）が無線キーボードに適用され、例えば台湾特許第Ｍ３４１２６６号の「ボタン及びキーボード」が提案されている。これは、導電性を有するシートがアンテナの一部とされ、ボタンの下面に、前記シートを貼り付け、又は挟み、前記ボタンはアンテナの一部を含むことにより、スペースを節約することができる。
【先行技術文献】
【特許文献】
【０００５】
【特許文献１】台湾特許第５１０５３７号
【特許文献２】台湾特許第５３２５２３号
【考案の概要】
【考案が解決しようとする課題】
【０００６】
しかしながら、ブルートゥース技術を利用するキーボードは、赤外線技術を利用するキーボードよりも便利であるが、単一の装置のみと交信可能であるので、複数の装置と交信することができるように改良する必要がある。
【０００７】
本考案の主な目的は、上記のような問題を解決するためになされたものであって、無線通信規格により複数の情報処理システムと交信することができる切替送信用入力装置を提供することにある。
【課題を解決するための手段】
【０００８】
本考案の切替用入力装置によると、一つ以上の機器側無線送受信機と対となる一つ以上の情報処理システム（１）との情報の交信が可能なユーザ側無線送受信機と、メモリユニットと、回路ユニットと、マイクロ制御ユニットと、を含む切替送信用入力装置において、前記メモリユニットは、各情報処理システムの装置識別コードと装置授権コードとを取得して保存するとともに、前記装置識別コードと前記装置授権コードとの各組に対応する装置選択コードをアクセスのインデックスとして保存し、前記回路ユニットは、ユーザの操作によってユーザの選定した前記装置選択コードを出力し、前記マイクロ制御ユニットは、前記回路ユニットからの前記装置選択コードに基づいて、前記装置選択コードに対応する前記装置識別コードと前記装置授権コードとを前記メモリユニットから読み取って、前記装置識別コードと前記装置授権コードとに対応する前記情報処理システムと交信することを特徴とする。
【０００９】
本考案の切替送信用入力装置によると、複数の装置切替ボタンを有し、前記回路ユニットは、これらの前記装置切替ボタンの操作に応じて、前記装置切替ボタンに対応する前記装置選択コードを出力することを特徴とする。
【００１０】
本考案の切替送信用入力装置によると、機能切替ボタンを有し、前記回路ユニットは、前記機能切替ボタンと、何れかの一つのボタンとの操作に応じて、前記ボタンに対応する前記装置選択コードを出力することを特徴とする。
【００１１】
本考案の切替送信用入力装置によると、切替可能な位置が複数ある多段式切替スイッチを有し、前記回路ユニットは、前記多段式切替スイッチが切り替えられた前記切替位置に対応する前記装置選択コードを出力することを特徴とする。
【００１２】
本考案の切替送信用入力装置によると、前記ユーザ側無線送受信機と、前記機器側無線送受信機とは、ブルートゥース送信技術を利用する装置であることを特徴とする。
【考案の効果】
【００１３】
本考案に係る切替送信用入力装置によれば、一つの入力装置により、状況に応じて、相違する情報処理システムに情報を入力することができるという効果を有する。
【図面の簡単な説明】
【００１４】
【図１】本考案の実施形態に係るブロック図である。
【図２】本考案の実施形態の取得情報の保存形態の模式図である。
【図３】本考案の第一実施形態の使用例を示す模式図である。
【図４】本考案の第二実施形態の使用例を示す模式図である。
【図５】本考案の第三実施形態の使用例を示す模式図である。
【図６】本考案の第三実施形態の使用例を示す模式図である。
【図７】本考案の第三実施形態の使用例を示す模式図である。
【考案を実施するための最良の形態】
【００１５】
以下、本考案の実施の形態を図面に基づいて説明する。
本考案に係る一実施形態の切替送信用入力装置は、無線送信方式により、一つの入力装置と、少なくとも一つの情報処理システムと、を通信可能に接続する。図１を参照する。図１に示すように、入力装置２には、ユーザ側無線送受信機が設けられ、前記ユーザ側無線送受信機は、少なくとも一つの機器側無線送受信機に合せて、少なくとも一つの情報処理システム１と情報を交信可能である。本実施形態では、前記機器側無線送受信機が情報処理システム１であり、前記ユーザ側無線送受信機が入力装置２であり、情報処理システム１と入力装置２との交信はブルートゥース送受信機３１、３２を利用する。ブルートゥース送受信機３１、３２は、情報処理システム１に内蔵されてもよいし、情報処理システム１の外部接続されてもよく、入力装置２に内蔵されてもよいし、入力装置２の外部接続されてもよい。また、入力装置２は、マイクロ制御ユニット２１と、回路ユニット２２と、メモリユニット２３と、を含む。
【００１６】
ブルートゥース送受信機３２は、周囲の通信接続可能な情報処理システム１の存在を検知しているときに、メモリユニット２３に各情報処理システム１の個別末識別用の装置識別コード（ＢＤ  Ａｄｄｒｅｓｓ：Ｂｌｕｅｔｏｏｔｈ  Ｄｅｖｉｃｅ  Ａｄｄｒｅｓｓ）と個人用識別番号の装置授権コード（ＰＩＮ  Ｃｏｄｅ：Ｐｅｒｓｏｎａｌ  Ｉｄｅｎｔｉｆｉｃａｔｉｏｎ  Ｎｕｍｂｅｒ  Ｃｏｄｅ）とを取得して保存する。メモリユニット２３には、更に、各組の装置識別コードと装置授権コードとに対応する装置選択コードを保存する。前記各装置選択コードは、一組の装置識別コードと装置授権コードとに対応し、アクセスのインデックスとされ、図２に示すように、情報処理システムレコード２３１を形成する。
【００１７】
回路ユニット２２は、キーの押下などによるユーザの操作によってユーザの選定した装置選択コードを出力し、前記選定した装置選択コードはマイクロ制御ユニット２１に出力する。マイクロ制御ユニット２１はメモリユニット２３内の情報を読み取り、又は書き込むことができる。マイクロ制御ユニット２１は、インデックスとしての装置選択コードに基づいて、前記装置選択コードに対応する装置識別コードと装置授権コードとをメモリユニット２３から読み取る。図２に示すように、前記メモリユニット２３において、装置識別コードと装置授権コードと装置選択コードとは情報処理システムレコード２３１を形成し、メモリユニット２３には複数組の情報処理システムレコード２３１を保存することができる。また、マイクロ制御ユニット２１は、ブルートゥース送受信機３２を介して、読み取った装置識別コードと装置授権コードに該当する情報処理システム１と通信接続する。また、マイクロ制御ユニット２１は、新しく取得した情報処理システムレコード２３１をメモリユニット２３に書き込むこともできる。
【００１８】
（第１実施形態）
本実施形態の入力装置２は、図３に示すように、キーボードであり、複数の装置切替ボタン２４を有する。回路ユニット２２は、これらの装置切替ボタン２４の操作に応じて、装置切替ボタン２４に対応する装置選択コードを出力し、前記キーボード内にあるマイクロ制御ユニット２１は前記装置選択コードに対応する情報処理システムレコード２３１をメモリユニット２３から読み取り、読み取った情報処理システムレコード２３１と一組の装置識別コードと装置授権コードに対応する情報処理システム１が前記キーボードと通信接続する。
【００１９】
（第２実施形態）
本実施形態では、図４に示すように、入力装置２であるキーボードには、機能切替ボタン２５が設けられる。機能切替ボタン２５と、何れかの一つのボタンとの操作に応じて、前記ボタンに対応する装置選択コードを出力する。例えばユーザは、機能切替ボタン２５と、Ｆ１ボタン乃至Ｆ４ボタンのうちの何れか一つのボタンとを操作すると、四つの情報処理システム１のうちの選択された情報処理システム１の１つがキーボードと通信接続する。
【００２０】
（第３実施形態）
本実施形態では、図５に示すように、入力装置２であるキーボードには、スライド式の多段式切替スイッチ２６が設けられる。多段式切替スイッチ２６は、切替可能な位置が複数あり、多段式切替スイッチ２６を切り替えることによって、回路ユニット２２が操作されて切替位置に対応する装置選択コードを出力する。情報処理システム１は、コンピュータ、ノートブック式コンピュータ、携帯電話、ＰＤＡ、又はテレビゲーム機でもよい。
【００２１】
また、入力装置１は、図６に示すように、マウスでもいいし、図７に示すように、ゲームパッドでもよい。上記の第１実施形態及び第２実施形態と同じように、前記マウスや前記ジョイスティックは、機能切替ボタン２５と、機能切替ボタン２５の操作に応じて電気信号を出力する回路ユニット２２（図示せず）と、前記電気信号を処理するマイクロ制御ユニット２１（図示せず）と、装置識別コードと装置授権コードと装置選択コードとを記憶するメモリユニット２３（図示せず）と、マイクロ制御ユニット２１と電気的に連接するブルートゥース送受信機３２と、を有する。上記の構成によれば、一つの入力装置２により、状況に応じて、相違する情報処理システム１を選択し情報の入力及び無線による交信をすることができる。
【００２２】
このように、本考案は、特定の例を参照して説明されたが、それらの例は、説明のためだけのものであり、本考案を限定するものではなく、この分野に通常の知識を有する者には、本考案の趣旨および範囲を逸脱することなく、ここで開示された実施例に変更、追加、または、削除を施してもよい。
【産業上の利用可能性】
【００２３】
本考案は、入力装置に適用することができる。
【符号の説明】
【００２４】
１      情報処理システム
２      入力装置
２１    マイクロ制御ユニット
２２    回路ユニット
２３    メモリユニット
２４    装置切替ボタン
２５    機能切替ボタン
２６    多段式切替スイッチ
３１、３２  ブルートゥース送受信機
２３１  情報処理システムレコード
【図１】
0003155578.tif 000003
【図２】
0003155578.tif 000004
【図３】
0003155578.tif 000005
【図４】
0003155578.tif 000006
【図５】
0003155578.tif 000007
【図６】
0003155578.tif 000008
【図７】
0003155578.tif 000009